(57)【要約】【課題】本発明の目的は、締め付けまたは収縮によって工具を取り付ける時の過剰加熱から保護された減衰手段を装備した工具ホルダを提案することによって、これらの欠点を克服することである。【解決手段】本発明は、工具ホルダ（１）の端部ハウジング（３）に配置された細長体の形で、対応する形状およびサイズの減衰手段（２）を装備したボーリングヘッド、チャック、フライスアーバなどの工具ホルダ（１）を目的とする。  工具ホルダは、減衰手段（２）の過剰加熱を防ぐための装置（４）を備えることを特徴とする。  本発明は、特に、数値制御工作機械の付属品、マシニングセンタ、フレキシブルなセルおよびワークショップの分野で適用可能である。【選択図】図１
2012006140.tif 000002
【特許請求の範囲】
【請求項１】
工具ホルダ（１）の端部ハウジング（３）に配置された細長体の形で、対応する形状およびサイズの減衰手段（２）を装備したボーリングヘッド、チャック、フライスアーバなどの形態の工具ホルダ（１）であって、減衰手段（２）の過剰加熱を防ぐための装置（４）を備えることを特徴とする工具ホルダ（１）。
【請求項２】
減衰手段（２）の過剰加熱を防ぐための装置（４）が、ボーリングヘッドやフライスアーバなどを収容するためのスリーブ（５）近くに配置された減衰手段（２）の側面から減衰手段（２）端部の前に拡がる断熱緩衝材（４１）から成る、請求項１に記載の工具ホルダ（１）。
【請求項３】
減衰手段（２）の過剰加熱を防ぐための装置（４）が、減衰手段（２）を収容するためのレセプタクル（４２）から成り、このレセプタクルが、工具ホルダ（１）のハウジング（３）に挿入され、ボーリングヘッドやフライスアーバなどを収容するためのスリーブ（５）まで回転される少なくとも片側の壁（４２’）で閉鎖される、請求項１に記載の工具ホルダ（１）。
【請求項４】
減衰手段（２）の過剰加熱を防ぐための装置（４）が、本質的には、減衰手段（２）の長さより長い減衰手段（２）用ハウジング（３）からなり、過剰加熱が、減衰手段（２）がボーリングヘッドやフライスアーバなどを収容するためのスリーブ（５）近くのハウジング（３）の一端で配置保持される動作位置から、減衰手段（２）がハウジング（３）の反対端で配置保持される加熱防止位置まで減衰手段（２）を移動させることによって防がれる、請求項１に記載の工具ホルダ（１）。
【請求項５】
減衰手段（２）を２つの端部位置で保持するのが、それぞれが減衰手段（２）の２つの端部位置のうちの１つの端部位置で前記減衰手段（２）の中央円形溝（２１）と協働する２つの加圧ねじ（４３）を使用することで確実になる、請求項４に記載の工具ホルダ（１）。
【請求項６】
減衰手段（２）を２つの端部位置で保持するのが、それぞれが減衰手段（２）の２つの端部位置のうちの１つの端部位置で前記減衰手段（２）の中央円形溝（２１）と協働する２つの引っ込み式ボールを有する装置を使用することで確実になる、請求項４に記載の工具ホルダ（１）。
【請求項７】
減衰手段（２）が、工具ホルダ（１）の後面から、すなわち、ボーリングヘッドやフライスアーバなどを収容するためのスリーブ（５）の反対側で、工具ホルダ（１）のハウジング（３）内に取り付けられ、プラグ（６）を使用して前記ハウジング（３）内で保持される、請求項１から６のいずれか一項に記載の工具ホルダ（１）。
【請求項８】
減衰手段（２）が、工具ホルダ（１）の前面から工具ホルダ（１）内に取り付けられ、同様に前面から導入されたプラグを使用して定位置で固定される、請求項１から６のいずれか一項に記載の工具ホルダ（１）。
【発明の詳細な説明】
【技術分野】
【０００１】
本発明は、数値制御工作機械の付属品、マシニングセンタ、フレキシブルなセルおよびワークショップの分野に関し、本発明は、減衰手段を装備し、減衰手段の過剰加熱を防ぐための装置を備える工具ホルダを目的とする。
【背景技術】
【０００２】
工具ホルダは、まさに構造が原因で振動しやすく、このことが正確な動作に悪影響を及ぼすことになる。振動しやすい傾向は、工作機械の実際の動作速度が絶えず増加しているために一層顕著である。
【０００３】
これらの欠点を防ぐために、振動を減衰するための装置を備え、剛性を動作条件に適合させることができる工具ホルダを装備することが提案された。
【０００４】
このために、現在では、米国特許第３４４７４０２号明細書、仏国特許第２１７３９５７号明細書、欧州特許第０５７１４９０号明細書、欧州特許第１２４８６９２号明細書で、本質的に軸方向ハウジングに取り付けられ、ハウジング内で端部に作用することによって保持された減衰体から成る装置が知られている。
【０００５】
また、仏国特許第２９２９８６８号明細書では、工具ホルダ端部ハウジング内に配置された細長体の形状の減衰手段を備え、それによりこの減衰手段は半径方向のみ吸収するタイプの減衰手段で、両端が拘束されずにハウジング内に伸びる工具ホルダが知られている。したがって、設計および実施が単純な工具ホルダによって、せん断力および機械加工速度による振動の影響を打ち消すことができる。
【０００６】
切削工具の工具ホルダへの取り付けは、最近では、締め付けまたは収縮によって、すなわち、切削工具を収容する工具ホルダの端部を予備加熱して、通常は自動機械を使用して工具を取り付けて位置決めすることによって行われることがますます多くなった。
【先行技術文献】
【特許文献】
【０００７】
【特許文献１】米国特許第３４４７４０２号明細書
【特許文献２】仏国特許第２１７３９５７号明細書
【特許文献３】欧州特許第０５７１４９０号明細書
【特許文献４】欧州特許第１２４８６９２号明細書
【特許文献５】仏国特許第２９２９８６８号明細書
【発明の概要】
【発明が解決しようとする課題】
【０００８】
このような締め付けまたは収縮による取り付けは、工具ホルダの対応する端部をかなり加熱することになる。その結果、前記工具ホルダの前部全体が加熱され、この前部の構成要素の全ては急激な温度上昇を受ける。このような温度上昇は、減衰体を備える弾性要素に悪影響を及ぼす可能性があり、すなわち、これらの弾性要素の機械的特性の劣化、ひいては弾性要素の破壊の可能性がある。
【０００９】
本発明の目的は、締め付けまたは収縮によって工具を取り付ける時の過剰加熱から保護された減衰手段を装備した工具ホルダを提案することによって、これらの欠点を克服することである。
【課題を解決するための手段】
【００１０】
上述の目的を達成するために、工具ホルダの端部ハウジングに配置された細長体の形で、対応する形状およびサイズの減衰手段を装備したボーリングヘッド、チャック、またはフライスアーバなどの形態の工具ホルダは、減衰手段の過剰加熱を防ぐための装置を備えることを特徴とする。
【００１１】
本発明は、非限定的な例として添付図面を参照して説明された好適な実施形態に関する以下の記述を読めば、より十分に理解されるであろう。
【図面の簡単な説明】
【００１２】
【図１】減衰手段を装備し、本発明の過剰加熱を防ぐための装置を備える工具ホルダの長手方向切断図である。
【図２】本発明の第１の変形形態の図１と同様の図である。
【図３】本発明の第２の変形形態の図１および図２と同様の図で、工具の締め付けまたは収縮後の作動位置を示す図である。
【図４】本発明の第２の変形形態の図１および図２と同様の図で、締め付けまたは収縮時の過剰加熱防止位置を示す図である。
【発明を実施するための形態】
【００１３】
添付図面の図１から３は、例として、ボーリングヘッド１の形の工具ホルダを示しており、工具ホルダは、対応する形状およびサイズを有するとともに工具ホルダ１の端部ハウジング３内に配置された細長体の形の減衰手段２を備える。
【００１４】
本発明によれば、工具ホルダ１は、減衰手段２の過剰加熱を防ぐための装置４を備える。
【００１５】
知られている形では、減衰手段２を形成する細長体は、ボーリングヘッドやフライスアーバなどを収容するためのスリーブ５近くの端部ハウジング３内に配置される。
【００１６】
図示された実施形態では、減衰手段２は、半径方向のみ吸収するタイプの減衰手段であり、少なくとも各端部近くに少なくとも１つの弾性変形可能な手段を備え、前記弾性変形可能な手段は、工具ホルダのハウジング３の壁と減衰手段２との間で締め付けられるまたは収縮されることで減衰手段２のケーシングとハウジング３の壁との間に伸びる。
【００１７】
本発明の第１の実施形態によれば、減衰手段２の過剰加熱を防ぐための装置４は、有利には、ボーリングヘッドやフライスアーバなどを収容するためのスリーブ５近くに配置された減衰手段２の側面から減衰手段２端部の前に拡がる断熱緩衝材４１から成る。このような断熱緩衝材４１は、高い断熱係数を有する任意の材料製とすることができる、すなわち、例えば、樹脂で浸漬されたガラス繊維系、もしくはマイカ樹脂系とすることができる。したがって、予めスリーブ５の中心に置かれた工具を締め付けるまたは収縮するための加熱時に、減衰手段２のハウジング３の加熱も生じる形で、放出される熱の比較的かなりの部分がスリーブ５に伝えられ、スリーブ５によって工具ホルダユニット１に伝えられる。
【００１８】
装置４を形成する断熱緩衝材４１を備えることで、前記ハウジング３をスリーブ５から直接受ける熱、特に、前記スリーブ５の中央穴５１に見られる非常に高温の空気の形態での熱から隔離することができる。
【００１９】
その結果、減衰手段２の要素、すなわち、減衰に使用される弾性変形可能な部品は、過剰な加熱から保護されることになる。
【００２０】
図２は、本発明の変形形態を示す図であり、この場合、減衰手段２の過剰加熱を防ぐための装置４は、減衰手段２を収容するためのレセプタクル４２から成り、このレセプタクルは、工具ホルダ１のハウジング３に挿入され、ボーリングヘッドやフライスアーバなどを収容するためのスリーブ５まで回転される少なくとも片側の壁４２’で閉鎖される。
【００２１】
この実施形態では、有利には、レセプタクル４２も高い断熱性を有する材料製である。
【００２２】
図３および図４は、本発明の第２の変形形態を示しており、この場合、減衰手段２の過剰加熱を防ぐための装置４は、本質的には、減衰手段２の長さより長い減衰手段２用ハウジング３からなり、過剰加熱は、減衰手段２がボーリングヘッドやフライスアーバなどを収容するためのスリーブ５近くのハウジング３の一端で配置保持される一動作位置（図３）から、減衰手段２がハウジング３の反対端で配置保持される加熱防止位置まで減衰手段２を移動させることによって防がれる。
【００２３】
減衰手段２を２つの端部位置で保持するのは、それぞれが減衰手段２の２つの端部位置のうちの１つの端部位置で前記減衰手段２の中央円形溝２１と協働する２つの加圧ねじ４３を使用することで確実になる。
【００２４】
また、２つの端部位置で減衰手段２を保持するのは、それぞれが減衰手段２の２つの端部位置のうちの１つの端部位置で前記減衰手段２の中央円形溝２１と協働する２つの引っ込み式ボールを有する装置を使用しても確実になる。この装置は図示されていないが、その構造は当業者にとって完全に利用できるものである。
【００２５】
図１から４は、減衰手段２が、工具ホルダ１の後面から、すなわち、ボーリングヘッドやフライスアーバなどを収容するためのスリーブ５の反対側で、工具ホルダ１のハウジング３内に取り付けられ、プラグ６を使用して前記ハウジング３内で保持されることを示している。
【００２６】
本発明の別の特徴によれば、図示されていないが、工具ホルダ１の前面から減衰手段２を工具ホルダ１内に取り付けて、同様に前面から導入されたプラグを使用して定位置で固定することも可能である。
【００２７】
この場合、ハウジング３を閉鎖するプラグは、同時に、減衰手段２の過剰加熱を防ぐための追加の装置を成す場合もある。
【００２８】
本発明により、減衰手段を装備し、減衰手段の過剰加熱を防ぐための装置を備え、工具の締め付けまたは収縮を可能にすると同時に、締め付けまたは収縮時に放出される熱による劣化から、減衰手段２の脆弱部分、特に弾性変形可能な要素を保護することができる工具ホルダを製造することができる。
【００２９】
当然、本発明は、説明および図示された実施形態に限定されない。特に、種々の要素の構成の点で、または等価な技術を代用して、本発明の保護範囲を逸脱せずに変更することもできる。
【符号の説明】
【００３０】
１  工具ホルダ
２  減衰手段
３  ハウジング
４  過剰加熱を防ぐための装置
５  スリーブ
６  プラグ
２１  中央円形溝
４１  断熱緩衝材
４２  レセプタクル
４２’  レセプタクルの壁
４３  加圧ねじ
５１  中央穴
【図１】
2012006140.tif 000003
【図２】
2012006140.tif 000004
【図３】
2012006140.tif 000005
【図４】
2012006140.tif 000006
【外国語明細書】
2012006140000001.pdf